(57)【要約】【課題】ユーザーの頭部の生体情報や動作情報、頭部周囲の頭部周囲の環境情報等に関するデータを検出する各種センサを設けた頭部保護帽体であっても、帽体からの電子機器の取外しが容易であり、メンテナンスを迅速に行なうことができる頭部保護帽体用内装ユニット及びこれを備えた頭部保護帽体を提供する。【解決手段】ヘルメット本体２の内側に組み付けられることでセンサ付きヘルメット１を構成する頭部保護帽体用内装ユニット３であって、ヘルメット本体２に着脱自在に組み付けられる内装体５と、内装体５に一体的に設けられ、使用者の頭部の生体情報、頭部周囲の頭部周囲の環境情報及び動作情報の少なくとも一つに関するデータを検出する各種センサ４とを備え、ヘルメット本体２に対し内装体５とともに各種センサ４が着脱自在に組み付けられるものとした。【選択図】図１
2019035161.tif 000002
【特許請求の範囲】
【請求項１】
帽体の内側に組み付けられることで頭部保護帽体を構成する頭部保護帽体用内装ユニットであって、
前記帽体に着脱自在に組み付けられる内装体と、
該内装体に一体的に設けられ、使用者の頭部の生体情報、頭部周囲の頭部周囲の環境情報及び動作情報の少なくとも一つに関するデータを検出する各種センサとを備え、
該各種センサが、前記帽体に対し前記内装体とともに着脱自在に組み付けられるものであることを特徴とする頭部保護帽体用内装ユニット。
【請求項２】
前記センサに有線で接続された全ての電子機器を、前記センサとともに前記内装体に一体的に設けてなる請求項１記載の頭部保護用帽体の頭部保護帽体用内装体ユニット。
【請求項３】
前記電子機器の一つとしてバッテリーを備え、該バッテリーを前記帽体で支持してなる請求項２記載の頭部保護帽体用内装ユニット。
【請求項４】
前記電子機器の一つとして無線通信機を備え、該無線通信機の一部又は全部が露出するものである請求項２記載の頭部保護帽体用内装ユニット。
【請求項５】
前記内装体が、使用者の頭部に被さるハンモック部を有し、該ハンモック部の外側に、少なくとも頭部周囲の頭部周囲の環境情報に関するデータを検出する前記各種センサを設けてなる請求項１〜４の何れか１項記載の頭部保護帽体用内装ユニット。
【請求項６】
バッテリー、発信機及び制御機を含む電子機器を収容する収容部材を設け、該収容部材を前記内装体又は前記帽体に着脱自在に取り付けるものとしてなる請求項２〜５の何れか１項記載の頭部保護帽体用内装ユニット。
【請求項７】
前記内装体又は、前記内装体に一体的に設けられた電子機器に、他の頭部保護帽体用内装ユニットと識別するための電子識別情報を付与してなる請求項１〜６の何れか１項記載の頭部保護帽体用内装ユニット。
【請求項８】
請求項１〜７の何れか１項記載の頭部保護帽体用内装ユニットを備えた頭部保護帽体。
【発明の詳細な説明】
【技術分野】
【０００１】
本発明は、ユーザーの頭部の生体情報や動作情報、頭部周囲の環境情報等に関するデータを検出し、このデータに基づいてユーザーの状態を確認する各種センサ付きの頭部保護帽体に用いられる内装ユニットと、これを備えた頭部保護帽体に関するものである。
【背景技術】
【０００２】
従来、ヘルメットに、電極を取付けて体温等の生体情報を計測し、この生体情報から被験者の疲労度、眠気等を検知し、警告し休憩を促すシステムを備えたものがある（特許文献１、２参照）。
【０００３】
また、疲労監視するヘルメットとして、帽体内に設置され、頭部の位置に接触して第１情報取得するための第１電極と、帽体外に設置され、頭部の別の位置に接触して、第２情報を取得するための第２電極とを電気的に接続し脳波情報を取得するものや（特許文献３参照）、生体情報などを検出するスマートヘルメットとして、ヘッドバンド若しくはあご紐に生体情報取得用電極を備えたものがある（特許文献４参照）。
【先行技術文献】
【特許文献】
【０００４】
【特許文献１】特開２０１０−１４８７１８号公報
【特許文献２】特開２００５−２３００３０号公報
【特許文献３】特開２０１５−０２１２１５号公報
【特許文献４】特開２０１７−１２５２６９号公報
【発明の概要】
【発明が解決しようとする課題】
【０００５】
しかしながら、これらはいずれも、ユーザーの頭部の生体情報や動作情報、頭部周囲の環境情報等に関するデータを検出し、利用するために必要な各種センサや制御機、通信機、バッテリーなどの電子機器が、それぞれ別々にヘルメットに取り付けられていたり、一部又は全部がヘルメット本体に組み込まれていたりしているため、例えば、汚れたヘルメット本体の洗浄やバッテリーの交換を行なうためには、電子機器が故障しないようにそれぞれを取り外したり、分解したりする必要があり、メンテナンスが非常に煩雑となるものであった。特に工場や建設現場において熱中症を監視するヘルメットの場合等、頭部又は頭部周囲の測定情報が必要な帽体においては、センサをヘルメット内に内蔵する必要があり、センサを外してヘルメットや電子機器のメンテナンスが行えないといった問題があった。
【０００６】
そこで、本発明が前述の状況に鑑み、解決しようとするところは、ユーザーの頭部の生体情報や動作情報、頭部周囲の環境情報等に関するデータを検出する各種センサを設けた頭部保護帽体であっても、帽体からの電子機器の取外しが容易であり、メンテナンスを迅速に行なうことができる頭部保護帽体用内装ユニット及びこれを備えた頭部保護帽体を提供する点にある。  
【課題を解決するための手段】
【０００７】
本発明に係る頭部保護帽体用内装ユニットは、帽体の内側に組み付けられることで頭部保護帽体を構成する頭部保護帽体用内装ユニットであって、前記帽体に着脱自在に組み付けられる内装体と、該内装体に一体的に設けられ、使用者の頭部の生体情報、頭部周囲の環境情報及び動作情報の少なくとも一つに関するデータを検出する各種センサとを備え、該各種センサが、前記帽体に対し前記内装体とともに着脱自在に組み付けられるものであることを特徴とする。
【０００８】
この構成によれば、頭部又は頭部周囲にセンサを備える保護帽であっても、内装体を取り外すことで、各種センサを帽体から外すことができ、帽体の交換や洗浄等のメンテナンスを容易に行なうことができるという利点がある。
【０００９】
また、本発明に係る頭部保護帽体用内装ユニットにおいて、前記各種センサに有線で接続された全ての電子機器を、前記各種センサとともに前記内装体に一体的に設けてなることが好ましい。
【００１０】
この構成によれば、内装体を取り外すことで、各種センサを含む全ての電子機器を帽体から外すことができ、帽体の交換や洗浄等のメンテナンスを更に容易に行なうことができる。
【００１１】
また、前記電子機器の一つとしてバッテリーを備え、該バッテリーを前記帽体で支持してなるものであってもよい。
【００１２】
この構成によれば、電子機器の中では重量の大きいバッテリーを帽体で支持することで、安定した状態で使用することができる。
【００１３】
さらに、前記電子機器の一つとして無線通信機を備え、該無線通信機の一部又は全部が露出するものであってもよい。
【００１４】
この構成によれば、無線通信機が露出しているため、無線通信のための電波が届きやすい状態で常に使用することができ、この通信を遮られる可能性が低くなる。
【００１５】
更にまた、前記内装体が、使用者の頭部に被さるハンモック部を有し、該ハンモック部の一部に、少なくとも頭部周囲の環境情報に関するデータを検出する前記各種センサを設けることが好ましい。
【００１６】
この構成によれば、頭部保護帽体内部のハンモック部の一部に各種センサを設けているため、直射日光や雨水、風等に左右されず、頭部周辺の環境情報に関するデータを適正に検出することができる。これにより、頭部周辺の環境情報が重要な熱中症危険度等であっても、正確に測定及び判別できる。
【００１７】
また、バッテリー、発信機及び制御機を含む電子機器を収容する収容部材を設け、該収容部材を前記内装体又は前記帽体に着脱自在に取り付けるものであってもよい。
【００１８】
この構成によれば、メンテナンス時にこの収容部材を取り外すことで、着脱をより簡易且つ迅速に行い得る。
【００１９】
さらに、前記内装体又は、前記内装体に一体的に設けられた電子機器に、他の頭部保護帽体用内装ユニットと識別するための電子識別情報を付与してなる請求項１〜６の何れか１項記載の頭部保護帽体用内装ユニット。
【００２０】
この構成によれば、帽体を交換しても内装ユニットをそのまま用いることで、電子識別情報を同一のものとして管理することができるため、ユーザーの特定や管理などを容易に行なうことができる。
【００２１】
頭部保護帽体用内装ユニットを備えた頭部保護帽体によれば、メンテナンスを容易に行なうことができるため、比較的高価であるセンサ付き頭部保護帽体を、長期間にわたり支障なく、また、修理及び洗浄しながら適切に使用し続けることができる。
【発明の効果】
【００２２】
本発明に係るセンサ付き頭部保護帽体によれば、ユーザーの頭部の生体情報や動作情報、頭部周囲の環境情報等に関するデータを検出する各種センサ等を設けた頭部保護帽体であっても、帽体からの電子機器の取外し等のメンテナンスを容易に行なうことが可能である。
【図面の簡単な説明】
【００２３】
【図１】本発明に係る頭部保護帽体用内装ユニットを備えたセンサ付きヘルメット１の使用状態を示す部分断面図である。
【図２】本発明に係る頭部保護帽体用内装ユニットを備えたセンサ付きヘルメット１の構成を示す分解図である。
【図３】本発明に係る頭部保護帽体用内装ユニットを備えたセンサ付きヘルメット１の構成を示す部分拡大図である。
【図４】本発明に係る別の実施形態の頭部保護帽体用内装ユニットを備えたセンサ付きヘルメット１Ａの使用状態を示す部分断面図である。
【図５】本発明に係る別の実施形態の頭部保護帽体用内装ユニットを備えたセンサ付きヘルメット１Ａの構成を示す分解図である。
【図６】本発明に係る別の実施形態の頭部保護帽体用内装ユニットを備えたセンサ付きヘルメット１Ａの使用状態を示す側面図である。
【図７】本発明に係る別の実施形態の頭部保護帽体用内装ユニットを備えたセンサ付きヘルメット１Ａの構成を示す部分拡大図である。
【発明を実施するための形態】
【００２４】
以下、本発明に係る各実施形態を図面に基づいて説明する。なお、各図において同一の符号を付した構成は、同一の構成であることを示し、その説明を省略する。
【００２５】
図１〜図３は、本発明に係る第一実施形態として、ハンモック部にセンサ等を有する頭部保護帽体用の内装ユニット３を備えたセンサ付きヘルメット１の構成及び使用状態を示すものであり、図４〜図７は、本発明に係る第二実施形態として、ヘッドバンド部にセンサ等を有する頭部保護帽体用の内装ユニット３Ａを備えたセンサ付きヘルメット１Ａの構成及び使用状態を示すものであって、図中符号１、１Ａはセンサ付きヘルメット、２はヘルメット本体、３、３Ａは内装ユニット、４は各種センサを示している。なお、頭部保護帽体とは、少なくとも頭部の全部又は一部を保護するものをいい、その材質については一般的な合成樹脂に限らず、金属や他の材質であってもよく、また、折り畳み式、組立て式によるもの等、種々の形態のものを広く含むものとする。
【００２６】
ここで、これらの実施形態では、センサ付き頭部保護帽体として、作業用のヘルメットに適用した例を示しているが、センサ付き頭部保護帽体の適用対象としては、帽子等の人を含む動物の頭部の保護部を有するもの全てが対象となる。なお、センサ付きヘルメット１、１Ａは、一般的な作業用のヘルメットであるため、主に工場や工事現場あるいは山林等で作業する作業者に日常的に使用されることが多く、このような使用において、ヘルメット本体２の汚れや各部の破損などがあった場合のメンテナンスや日常点検を各ユーザーが行うこともある。このため、メンテナンスや日常点検を容易且つ迅速に行なうことができるセンサ付きヘルメット１、１Ａは、作業全体の効率の向上や各作業者の安全の確保といった効果も発揮するものとなる。
【００２７】
まず、図１〜図３に基づいて、本発明に係る第一実施形態のセンサ付きヘルメット１の構成を説明する。
【００２８】
図１及び図２に示すように、センサ付きヘルメット１は、ヘルメット本体（帽体）２の内側に、各種センサ４を有する内装ユニット３が着脱自在に組み付けられて構成されたものである。内装ユニット３は、帽体であるヘルメット本体２に着脱自在に組み付けられる内装体５と、内装体５に一体的に設けられ、ユーザーＵの頭部の生体情報、頭部周囲の環境情報及び動作情報の少なくとも一つに関するデータを検出する各種センサ４とを備え、各種センサ４が、ヘルメット本体２に対し内装体５とともに着脱自在に組み付けられるものである。この組付構造については、着脱自在であれば、一般的な作業用ヘルメットや特殊な用途に用いられるヘルメット、又は他の組付構造を広く採用することができるが、本実施形態では、一方に孔を設け、この孔に係合する係合部を他方に設けることで容易な構成とするとともに、工具を用いることなく取付け又は取外しが可能となっている。また、各種センサ４は内装体５に一体的に設けられているが、この一体的とは、必ずしも全体がまとまっていることをいうのではなく、物理的につながりを有する一つの集合体を形成するものをいい、例えば、一部が取外し可能となっているものや、コード等のみでつながっているものも含む。
【００２９】
内装ユニット３は、各種センサ４と、ヘッドバンド部５１及びハンモック部５２、顎紐５３からなる内装体５とが主な構成部材であるが、内装ユニット３には、これらの他に各種センサ４の電源となるバッテリー６、各種センサによって得られたデータに基づいて制御を実行する制御部７、及び、外部と通信する通信部８が設けられている。これらの電子機器は全てコード１０でつながった状態で、内装体５に一体的に組み付けられている。また、内装体５は、ヘッドバンド部５１とハンモック部５２が連結部材１２、１２、…で連結され、これらが連結部材１１でヘルメット本体２に着脱自在に取り付けられている。
【００３０】
各種センサ４としては、内装体５のヘッドバンド部５１に設けられてユーザーＵの額に接触する皮膚表面温度センサである生体情報センサ４１、ハンモック部５２の外側で頂部近傍に設けられた温度センサ及び湿度センサからなる頭部周囲の環境情報センサ４２、ヘッドバンド部５１の後側に設けられた収容部材９内の加速度センサ及び角速度センサからなる動作情報センサ４３を有している。
【００３１】
生体情報センサ４１は、使用時のユーザーＵの額に対応する位置に設けられていることで、皮膚表面温度を正しく測定することができるものとなっている。また、ヘッドバンド部５１の内面に設けられていることにより、皮膚表面温度センサがヘッドバンド部５１によって額に押し当てられるため、皮膚表面温度センサが額に密着し、生体情報をより正しく継続して測ることができるものとなっている。この生体情報センサ４１は、制御部７とコードでつながっていることで、この制御部７に生体情報を送信することができる。
【００３２】
頭部周囲の環境情報センサ４２は、ヘルメット本体２の内側に設けられていることによって、直射日光や雨水、風に当たらず、これらの影響を受けずに、温度や湿度といった頭部周囲の環境情報を正しく測定することができるものとなっている。また、ハンモック部５２の外側に設けられているため、ユーザーの頭部に接触することがなく、頭部周辺の頭部周囲の環境情報をより確実に得ることができるものとなっている。さらに、ヘルメット本体２とハンモック部５２との間には、安全性担保の観点から、一般的に大きなクリアランスが設けられているため、この空間を利用することで、測定用の空間を別途設ける必要がなく、且つ、ヘルメットを無駄に大きくする必要もなく、また、一般的なヘルメットへの適用も可能となっている。また、頭部周囲の環境情報センサ４２は、制御部７等とコード１０でつながれているが、このコード１０は、ハンモック部５２のヘルメット本体２側の表面に沿うように設けられているため、コード１０が絡まったり、引っ掛かったりすることがなく、安全に使用することができるものとなっている。
【００３３】
動作情報センサ４３は、ユーザーの動作情報によって、ユーザー転倒や長時間の停止等といった異常を検知するためのものであり、ヘッドバンド部５１の後側に設けられている。ヘッドバンド部５１は、センサ付きヘルメット１において、ユーザーの頭部にしっかりと嵌められることでユーザーに接触しているものであるため、このヘッドバンド部５１に動作情報センサ４３が設けられていることで、ユーザーの頭部の動作と程同一の動作情報を得られることができ、より正確な動作情報を得ることができるものとなっている。また、動作情報センサ４３は、収容部材９内に収容されているが、この収容部材９内には、この動作情報センサ４３の他に、バッテリー６、制御部７及び通信部８が収容されている。
【００３４】
図３に示すように、収容部材９は、一面（内側面）に設けられた挿通部９ａにヘッドバンド部５１の一部を挿通することで、ヘッドバンド部５１の後端部に着脱自在に設けられている。このヘッドバンド部５１は、センサ付きヘルメット１においてヘルメット本体２から少し下方に突出していることで露出している。このため、ここに配置された収容部材９もヘルメット本体２から下方に突出して露出するものとなっている。このような構成により、収容部材９内に収容された、動作情報センサ４３及びバッテリー６等が外気の影響により、高温となることを防ぐとともに、同じく収容部材９内に収容された通信部８がヘルメット本体２に遮られることなく外部機器との通信を障害なく行なうことができるものとなっている。
【００３５】
ここで、バッテリー６としては、例えば使い捨てのリチウム乾電池やアルカリ乾電池又は充電式のリチウム電池等からなる各種のバッテリーを採用可能であるが、省スペースや軽量化を目的とすると小型のボタン型電池やコイン型電池等を採用することができる。
【００３６】
制御部７は、ユーザーＵの頭部の生体情報に関する検出データや、頭部周囲の環境情報に関する検出データを、予め定められた一定間隔で通信部８から外部機器に送信するように制御する第一制御部と、ユーザーＵの動作情報に基づいてユーザーＵに異常が生じているか否かを判別するとともに、ユーザーＵに異常が生じていると判別された場合に、この判別情報を通信部８から外部機器に送信するように制御する第二制御部とを有している。
【００３７】
第一制御部は、生体情報センサ４１の検出データと、頭部周囲の環境情報センサ４２の検出データとの両方又はその一方を、予め定められた一定間隔、例えば予め設定された一定の時間間隔で、あるいは予め設定された一定の時刻毎に通信部８から外部機器に送信するように構成されている。
【００３８】
具体的には、生体情報センサ４１により検出されたユーザーＵの脳波、心拍、脈拍数、体温、皮膚表面温度、血流、心電図、筋電、発汗等による生体インピーダンスの変化等からなる生体情報の検出データや、頭部周囲の環境情報センサ４２により検出された外気温度及び外部湿度等からなる頭部周囲の環境情報の検出データが、例えば１分又は３０分毎に第一制御部から通信部８を介して外部機器に送信されるようになっている。特に皮膚表面温度や体温からなる生体情報の検出データ、外気温度及び外部湿度等からなる頭部周囲の環境情報の検出データについては、熱中症危険度を監視するという観点から、継続して定期的に検出、確認されるのが望ましい。
【００３９】
第二制御部は、ユーザーＵの動作情報を検出する動作情報センサ４３の検出データに基づき、ユーザーＵの動作を逐次監視し、ユーザーＵの動作が通常時とは異なっていると判別された場合に、当該判別情報を通信部８から外部機器に送信するように構成されている。
【００４０】
具体的には、動作情報センサ４３を構成する加速度センサ及び角速度センサにより、例えば１０ミリ秒に設定されたサンプリングタイム内におけるユーザーＵの動作に応じて発生する加速度及び角速度の少なくとも一方を、１０回程度測定し、その平均値が予め設定された閾値を超えているか否かを第二制御部において判別する。そして、第二制御部は、加速度及び角速度の検出データが前記閾値を超えた異常に大きな値である場合に、ユーザーＵが転倒したり、高所から落下したりする等の事故が発生したと判別し、この時点で異常判別信号を通信部８から外部機器に送信する制御を実行する。
【００４１】
第二制御部は、ユーザーＵに事故が発生したと判別した場合に、動作情報センサ４３により検出された動作情報に関するデータに基づいて、ユーザーＵの危険度合を測定する機能を有している。この測定データは、通信部８から外部機器に送信されるように構成されている。
【００４２】
通信部８は、制御部７からの指示により各種データを送信するものであり、通信手段として例えば、Ｂｌｕｅｔｏｏｔｈ（登録商標）や、ＺｉｇＢｅｅ（登録商標）の規格により規定された無線ＰＡＮ、又はＷｉＭＡＸ（登録商標）の規格により規定された無線ＭＡＮ等を用いることができるが、勿論他の通信手段により外部機器へ送信又は外部機器からの受信を行なうものであってもよい。
【００４３】
ここで、外部機器は、例えば、各ユーザーＵがそれぞれ携帯するスマートフォン、タブレット、携帯用無線機又は携帯型パソコン等の他に、インターネットに代表されるネットワーク回線を通じてつながる電子計算機やこれに類する他の電子機器を用いることができる。
【００４４】
例えば、各種センサ４により検出されたデータ等から、ユーザーＵの熱中症危険度判別情報、ＷＢＧＴ（暑さ指数）に基づく熱中症危険度予防情報、ユーザーＵが転倒する等の事故判別情報、ユーザーＵの体温情報、もしくは帽体外気温情報、帽体外湿度情報、帽体内気温情報、帽体内湿度情報、帽体着脱情報、又はユーザーＵの血流情報、脳波情報、生体情報、ユーザーＵの現在位置を示す位置情報、気圧情報、高度情報、方角情報等の管理データの少なくとも一つが、制御部７及び通信部８によって外部機器等に送信され、ユーザーの状態を適正に確認し、必要に応じて適切な対応させることができるものとして利用してもよい。なお、前記ＷＢＧＴ（暑さ指数）とは、人体が受ける熱ストレスの大きさを、気温・湿度・風速・輻射熱を考慮して指標化したものであり、この値が大きい場合には、作業やスポーツを休止することが望ましいとされている。
【００４５】
また、各種センサ４の検出データに応じてユーザーＵが熱中症になっている可能性があると、確認された場合には、例えば、当該ユーザーＵの管理データが外部機器としてクライアント端末に送信され、この端末の表示画面に前記ユーザーＵの管理データが表示されるものとすることで、この管理データを見た作業管理者が、対応策を講じるものとすることも可能である。センサ付きヘルメット１では、このような熱中症等の危険度を監視することが望まれる工場や工事現場あるいは山林等で作業者が着用するヘルメットに、前記各種センサ４等を設けたため、前記作業者が熱中症になっているか否かを容易かつ適正に判別することができる。
【００４６】
なお、センサ付きヘルメット１では、制御部７に電子識別情報を付与しているため、緊急時の対応をより迅速に行なうことができる。この電子識別情報の内容としては、例えばユーザーＵの氏名、顔写真、性別、年齢、体重、身長、通常の血圧、血液型、所属会社、所属部署、社員番号、現在の業務内容、スケジュール、作業場所、緊急連絡先、緊急時に搬送される病院名、病歴、通院歴、ドナー登録の有無、労災履歴、家族情報等を適宜選択することができ、また、その方式については種々のものを広く採用することができる。特に、現在の業務内容や作業場所や、緊急連絡先、搬送される病院名、家族の氏名等を表示画面等に表示するように構成した場合には、ユーザーＵが危険状態となった時における対応を迅速かつ適切にとることができる。また、ユーザーＵの労災履歴、通院歴、病歴、投薬履歴、及び血液型を表示するように構成すれば、ユーザーＵが病院等に搬送された場合に、輸血をスムーズに行うことが可能である等の利点がある。
【００４７】
上記構成により、センサ付きヘルメット１は、各種センサ４を含む電子機器の全てが、内装体５に一体的に設けられているため、ヘルメット本体２から内装体５を取り外すことで、内装体５とともに各種センサ４を含む電子機器の全てがヘルメット本体２から取り外されるものとなっている。
【００４８】
次に、図４〜図７に基づいて、本発明に係る第二実施形態のセンサ付き頭部保護帽体用ユニットを備えたセンサ付きヘルメット１Ａの構成を説明する。
【００４９】
図４〜図６に示すように、センサ付きヘルメット１Ａは、ヘルメット本体２（帽体）に、各種センサ４を有する内装ユニット３Ａが着脱自在に組み付けられて構成されている。内装ユニット３Ａは、上記第一実施形態と同様に、使用者の頭部の生体情報、頭部周囲の環境情報及び動作情報の少なくとも一つに関するデータを検出する各種センサ４と、内装体５Ａが主な構成部材であるが、内装ユニット３Ａには、これらの他に各種センサ４の電源となるバッテリー６、各種センサによって得られたデータに基づいて制御を実行する制御部７、外部と通信する通信部８が設けられている。これらの電子機器は全てコードでつながった状態で、内装体５Ａに一体的に組み付けられている。また、内装体５Ａは、ヘッドバンド部５１と顎紐５３から構成されている。
【００５０】
各種センサ４としては、内装体５Ａのヘッドバンド部５１に設けられてユーザーＵの額に接触する皮膚表面温度センサと、ヘルメット本体２の外側縁部に着脱自在に取り付けられた収容部材９Ａ内に収容された、温度センサ及び湿度センサ等からなる頭部周囲の環境情報センサ４２、及び加速度センサ及び角速度センサ等からなる動作情報センサ４３とを有している。
【００５１】
収容部材９Ａは、ヘルメット本体２の外側に突出するように設けられている。具体的には、図７に示すように、収容部材９Ａの設けられたクリップ９ｂをヘルメット本体２の縁部に嵌めることで取り付けられている。このため、収容部材９Ａは、ヘルメット本体２に対して、容易に着脱可能となっており、図５に示すようにヘルメット本体２から容易に取り外すことができるものとなっている。また、この収容部材９Ａは、ヘルメット本体２の外側に設けられているため、収容部材９Ａ内に収容された、動作情報センサ４３及びバッテリー６等が外気の影響により高温となることを防ぐとともに、同じく収容部材９内に収容された通信部８がヘルメット本体２に遮られることなく外部機器との通信を行なうことができるものとなっている。
【００５２】
上記センサ付きヘルメット１Ａの他の構成については、上記センサ付きヘルメット１の構成と同様であり、同一構造については同一の符号を付してその説明を省略する。
【００５３】
上記構成により、センサ付きヘルメット１Ａは、各種センサ４を含む電子機器の全てが、内装体５に一体的に設けられているため、ヘルメット本体２から内装体５と収容部材９Ａを取り外すことで、内装体５とともに各種センサ４を含む電子機器の全てがヘルメット本体２から取り外されるものとなっている。
【００５４】
上記各実施形態においては、各種センサ４として、生体情報センサ４１、頭部周囲の環境情報センサ４２、及び動作情報センサ４３を示したが、これらに限らず、用途や目的、使用者に合わせて必要とされるデータを検出するものであれば、他のものを広く採用することができ、ＣＣＤやＣＭＯＳセンサに代表される光学センサ等の採用も可能である。
【００５５】
また、ヘッドバンド部５１やハンモック部５２についても、各種採用することが可能であるが、ラチェット構造などを取り入れたものとすると長さを調整することができるため、ユーザーＵの変更にも容易に対応することができ、また、素材についても、ポリエチレンやポリプロピレン、紐材等の一般的なものを用いることで安価なものとすることもできるし、特殊なものや新規に開発されたものを用いることで各用途に合わせた構成とすることもできる。
【符号の説明】
【００５６】
１     センサ付きヘルメット
１Ａ   センサ付きヘルメット
２     ヘルメット本体
２     帽体
３     内装ユニット
３Ａ   内装ユニット
４     各種センサ
５     内装体
５Ａ   内装体
６     バッテリー
７     制御部
８     通信部
９     収容部材
９Ａ   収容部材
９ａ   挿通部
９ｂ   クリップ
１０   コード
１１   連結部材
１２   連結部材
４１   生体情報センサ
４２   頭部周囲の環境情報センサ
４３   動作情報センサ
５１   ヘッドバンド部
５２   ハンモック部
５３   顎紐
Ｕ     ユーザー
【図１】
2019035161.tif 000003
【図２】
2019035161.tif 000004
【図３】
2019035161.tif 000005
【図４】
2019035161.tif 000006
【図５】
2019035161.tif 000007
【図６】
2019035161.tif 000008
【図７】
2019035161.tif 000009